(57)【要約】【課題】間口の狭い流し台において、シンク上に調理板、水切り板を載置して使用する場合にこれらの置き場所に困ることがある。この置き場所をカウンター内に設けることで調理板などのシンク上で使用する載置板を垂直に収納することですっきりした外観を得られ、又小さな流し台でも調理スペースを確保することを課題とする。【解決手段】シンク上に載置される調理板等の載置板と、該載置板をシンクに載置したときにカウンター上面とほぼ面一になる様にシンク上辺に載置板用段部を設けてなる流し台のカウンター上面のシンク周辺部に、載置板を垂直に収納可能な収納部の開口とを有する流し台で、載置板は適宜に分割され連結されあるいは１ヶ所に又は別々に収納される。【選択図】図２
2006296535.tif 000002
【特許請求の範囲】
【請求項１】
シンク上に載置される調理板等の載置板と、該載置板をシンクに載置したときにカウンター上面とほぼ面一になるようにシンク上辺に載置板用段部を設けてなる流し台のカウンター上面のシンク周辺部に、載置板を垂直に収納可能な収納部の開口とを有する流し台。
【請求項２】
載置板が複数に分割され、かつ折畳み可能に連結されている請求項１記載の流し台。
【請求項３】
載置板が複数に分割され、複数の収納部に分別されて収納される請求項１記載の流し台。
【発明の詳細な説明】
【技術分野】
【０００１】
本発明は、流し台に関するものであり、特にシンクに調理板、パンチングメタル様の水切り板を載置して使用する流し台であってこれら調理板などのシンクの載置板を流し台のカウンター内に収納できる流し台に関するものである。
【背景技術】
【０００２】
従来、シンクに調理板等を載置して使用する流し台は広く知られている。
【特許文献１】特開平７−２０４１１３号公報（第４頁、図１）
【発明の開示】
【発明が解決しようとする課題】
【０００３】
上記特許文献１に記されている流し台は天板部に設けた傾斜板により水切り板又はまな板を衛生的にかつ効率的に水切りでき使い勝手を向上させたものであるが、水切り板等を案内するガイドをシンク部まで設けてシンク部で使用後天板部に移動させ水切りするものであり、水切り板などを収納するものでない。
【０００４】
従って流し台の上に水切り板などがそのまま載置され、見栄えの悪いものである。本発明はこれら水切り板、調理板といった載置板をカウンター内に収納して小さな流し台の使い勝手を良くし不使用時の見栄えを良くするものである。
【課題を解決するための手段】
【０００５】
上記課題を解決するために、本発明に係る流し台の第一の特徴構成は、請求項１に記載した如く、シンク上に載置される調理板等の載置板と、該載置板をシンクに載置したときにカウンター上面とほぼ面一になるようにシンク上辺に載置板用段部を設けてなる流し台のカウンター上面のシンク周辺部に、載置板を垂直に収納可能な収納部の開口とを有する点である。
【０００６】
同第二の特徴構成は、請求項２に記載した如く、第一の特徴構成に加えて載置板が複数に分割され、かつ、折畳み可能に連結されている点である。
【０００７】
同第三の特徴構成は、請求項３に記載した如く、第一の特徴構成に加えて載置板が複数に分割され、複数の収納部に分別されて収納される点である。
【発明の効果】
【０００８】
請求項１に記載の流し台は前記構成であり、シンク上に載置板である水切り板、調理板を載置したときには、カウンター上面とほぼ面一になり使用勝手が良いものであり、使用後はシンク周辺に設けたカウンターの収納部に載置板を垂直にして収納するので場所を取らず見栄えの良いものである。
【０００９】
請求項２に記載の流し台は前記構成であるので、載置板が分割されかつ折畳み自在なように連結されているので折畳み易く収納部が小さく形成できる。
【００１０】
請求項３に記載の流し台は前記構成であるので、載置板が分割され別々の収納部に収納されるので、水切り板、調理板などの形状の異なる載置板でも使用できかつ別々に収納されるので衛生的なものである。
【発明を実施するための最良の形態】
【００１１】
以下、本発明の実施形態について図面を参照して、詳細に説明する。図１ないし図４は本発明に係る流し台の一実施例を上面より見たものであり、図５は流し台の斜視図である。図1は流し台１を示し中央部にシンク４があり、シンクの左方にはレンジ３がその反対側には載置板７の収納部５１の開口５が設けられている。シンク４の上部は載置板７が敷設されたときにカウンター２とほぼ面一になるように段部４１が形成されている。
【００１２】
図２に示すようにこの流し台１はシンク４上に調理板などの載置板７を敷設したもので、この載置板７は図面では３分割されているが、３分割以外の分割でもよい。この３分割された載置板７は折畳み自在になるようにヒンジ等で連結されているので収納するための折畳みあるいは敷設が容易にできる。
【００１３】
一方カウンターには収納部５１の開口５が形成され収納部５１は流し台１の側板１１（図５参照）とシンク４の間に設けられている。カウンター２には収納部５１の開口５が見えており、折畳まれた載置板７を垂直にして開口５から収納部５１に収納する。載置板７は取出しやすくする為にその一部はカウンター２より突出して収納されるかあるいは載置板７の端部に把手状のものを設けておくのが好ましい。
【００１４】
図３に示すものは分割された載置板７を複数の収納部５１例えば１枚用の収納部５２、２枚用の収納部５３に別々に収納できるものである。複数の収納部５２、５３はカウンター２の後部に設けられ水道６を避け離して形成されている。この場合載置板７はまな板７１、水切り孔７４を有する水切り板７２、物置板７３といったように用途別あるいは形態の異なる載置板７が使用でき連結されていないので、例えば載置板７の一つであるまな板７１のみをあるいは同じ物を複数枚使用することも可能である。
【００１５】
図４は載置板７の分割方向を図２、図３の場合と９０度変えたものであり、シンク４の長手方向に沿って分割しているので、カウンター２の収納部５１の開口５を小さくできる。そして手前の載置板７をまな板７１とすることで料理などがし易くなる。
【００１６】
このように間口の狭い流し台１であって、レンジ３部分とシンク４部分で構成され調理スペースが設けることが困難なものであっても、本発明では載置板７の収納部５１を形成する事でシンク４部分を調理その他の目的に応じて使用できるので作業効率が良くなる。
【００１７】
又、単身者用のあまり広くない間取りの場合でも流し台１が小さいのでその他のスペースを広く確保出来るものである。
【図面の簡単な説明】
【００１８】
【図１】本発明に係る流し台の一実施例を示す平面図である。
【図２】図１に示す流し台に載置板を用いた例である。
【図３】他の実施例を示し、分割された載置板と複数の収納部を設けた例である。
【図４】載置板の分割方向を変えた別の実施例を示す平面図である。
【図５】本発明の一実施例の流し台を示す斜視図である。
【符号の説明】
【００１９】
１      流し台
１１    流し台の側板
２      カウンター
３      レンジ
４      シンク
４１    シンクの段部
５      収納部の開口
５１    収納部
５２    １枚用収納部の開口
５３    ２枚用収納部の開口
６      水道
７      載置板
７１    まな板
７２    水切り板
７３    物置板
７４    水切り孔
【図１】
2006296535.tif 000003
【図２】
2006296535.tif 000004
【図３】
2006296535.tif 000005
【図４】
2006296535.tif 000006
【図５】
2006296535.tif 000007